(57)【要約】      （修正有）【課題】撮影技師や被検者に掛かる負担を軽減する医用装置を提供する。【解決手段】運搬装置５０は、車輪部、架台５２、ベース５３、支持部材５４、固定具などを有している。支持部材５４は被検者１を支持するものであり、ベース５３に取り付けられている。また、ベース５３は架台５２に取り付けられている。架台５２は、上下方向に伸縮するように構成されている。架台５２が伸長すると、架台５２の伸長に伴って支持部材５４およびベース５３が平板形状に変形し、運搬装置５０がテーブルに変形する。【選択図】図２５
2013208207.tif 000002
【特許請求の範囲】
【請求項１】
被検者を着座させた状態で運搬する運搬装置であって、
着座した被検者が仰向けになるように前記運搬装置が変形し、変形した後の運搬装置は、前記被検者を撮影するときの医用装置用テーブルとして用いられる運搬装置。
【請求項２】
前記被検者を支持する支持部材を有する、請求項１に記載の運搬装置。
【請求項３】
前記支持部材は、エアークッションを有している、請求項２に記載の運搬装置。
【請求項４】
前記被検者の所定の部位を固定するための固定具を有する請求項２又は３に記載の運搬装置。
【請求項５】
前記固定具は、前記支持部材に着脱自在に取り付けられるように構成されている、請求項４に記載の運搬装置
【請求項６】
前記固定具は、受信コイルが着脱自在に取り付けられるように構成されている、請求項４又は５に記載の運搬装置。
【請求項７】
前記被検者の磁気チェックを行うための磁気センサを有する、請求項１〜６のうちのいずれか一項に記載の運搬装置。
【請求項８】
前記被検者の体重を測定することができるように構成されている、請求項１〜７のうちのいずれか一項に記載の運搬装置。
【請求項９】
前記被検者に関する情報を表示する表示部を有する、請求項１〜８のうちのいずれか一項に記載の運搬装置。
【請求項１０】
車輪部と、
前記車輪部に取り付けられた架台と、
前記架台に取り付けられたベースと、
を有し、
前記支持部材は、前記ベースに対してスライドさせることができるように、前記ベースに取り付けられている、請求項２〜９のうちのいずれか一項に記載の運搬装置。
【請求項１１】
前記架台は、上下方向に伸縮自在に構成されている、請求項１０に記載の運搬装置。
【請求項１２】
前記ベースおよび前記支持部材は、前記架台が上方向に伸びると、平板形状に変形する、請求項１１に記載の運搬装置。
【請求項１３】
前記医用装置は磁気共鳴装置である、請求項１〜１２うちのいずれか一項に記載の運搬装置。
【請求項１４】
前記磁気共鳴装置は、検査室に設置されたマグネットを有しており、
前記検査室の床には、前記検査室の入口から前記マグネットまで延在するトレースラインが設けられており、
前記運搬装置は、前記トレースラインを読み取るリーダを有している、請求項１３に記載の運搬装置。
【請求項１５】
前記医用装置はＣＴ装置である、請求項１〜１２うちのいずれか一項に記載の運搬装置。
【請求項１６】
被検者を着座させた状態で運搬する運搬装置を、前記被検者を支持するテーブルとして用いる医用装置であって、
着座した被検者が仰向けになるように前記運搬装置が変形し、変形した後の運搬装置が、前記テーブルとして用いられる、医用装置。
【発明の詳細な説明】
【技術分野】
【０００１】
本発明は、被検者を運搬する運搬装置、および被検者を撮影する医用装置に関する。
【背景技術】
【０００２】
磁気共鳴装置やＣＴ装置で被検者を撮影する場合、被検者はテーブルに乗る必要がある。しかし、被検者が高齢者であったり、車椅子に座っている場合、自力でテーブルに乗るのが困難なことがある。この場合、撮影技師は、被検者をテーブルに乗せるために被検者を介助する必要があり、被検者だけでなく撮影技師にも負担が掛かる。そこで、被検者や撮影技師の負担を軽減するために、昇降機能を有するテーブルを利用することが考えられる（特許文献１参照）。
【先行技術文献】
【特許文献】
【０００３】
【特許文献１】特開２００９−２３２９３４号公報
【発明の概要】
【発明が解決しようとする課題】
【０００４】
特許文献１では、テーブルの高さを下げることができるので、被検者がテーブルに乗るときの負担を軽減することが可能となる。しかし、被検者によっては、テーブルの高さを下げても自力でテーブルに乗るのは困難なことがある。この場合、撮影技師は、被検者をテーブルに乗せるために被検者を介助する必要があり、やはり撮影技師に負担が掛かる。また、介助される側の被検者に掛かる負担も大きい。そこで、撮影技師や被検者に掛かる負担を軽減することが必要となる。
【課題を解決するための手段】
【０００５】
本発明の第１の態様は、被検者を着座させた状態で運搬する運搬装置であって、着座した被検者が仰向けになるように前記運搬装置が変形し、変形した後の運搬装置は、前記被検者を撮影するときの医用装置用テーブルとして用いられる運搬装置である。
【０００６】
本発明の第２の態様は、被検者を着座させた状態で運搬する運搬装置を、前記被検者を支持するテーブルとして用いる医用装置であって、着座した被検者が仰向けになるように前記運搬装置が変形し、変形した後の運搬装置が、前記テーブルとして用いられる、医用装置である。
【発明の効果】
【０００７】
運搬装置は、医用装置用テーブルに変形するように構成されている。したがって、被検者を運搬装置に着座させた後で、運搬装置が医用装置用テーブルに変形するだけで、着座した状態の被検者を仰向けの状態にすることができ、撮影スタッフおよび被検者に掛かる負担を軽減することができる。
【図面の簡単な説明】
【０００８】
【図１】本発明の一形態の運搬装置が使用される場所の説明図である。
【図２】運搬装置５０の外観図である。
【図３】被検者１が車椅子３に座っているときの様子を示す図である。
【図４】撮影スタッフ２が肘掛け５７を背もたれ５４ｂ側に移動させたときの様子を示す図である。
【図５】車椅子３を運搬装置５０に近づけたときの様子を示す図である。
【図６】被検者１を運搬装置５０に座らせたときの様子を示す図である。
【図７】エアークッション５６に空気を注入するときの説明図である。
【図８】エアークッション５６に空気を注入した後の様子を示す図である。
【図９】肘掛け５７を元の位置に戻した様子を示す図である。
【図１０】被検者１に関する情報を確認するときの説明図である。
【図１１】被検者１の頭部を固定具５５で固定するときの説明図である。
【図１２】固定具５５の位置を調整した後の様子を示す図である。
【図１３】固定具５５のイヤーパッド５５ｂを被検者１の耳に当てたときの様子を示す図である。
【図１４】コミュニケーションツール５５ｃの位置を調整した後の様子を示す図である。
【図１５】受信コイルを装着した後の様子を示す図である。
【図１６】被検者１の磁気チェックと、被検者１の体重の測定を行うときの説明図である。
【図１７】被検者１を待合室１０から検査室２０に移動させるときの説明図である。
【図１８】運搬装置５０を検査室２０の入口まで移動させたときの様子を示す図である。
【図１９】運搬装置５０がポイントＢまで移動したときの様子を示す図である。
【図２０】図１９における検査室２０内の拡大図である。
【図２１】運搬装置５０が回転した後の様子を示す図である。
【図２２】図２１における検査室２０内の拡大図である。
【図２３】運搬装置５０をマグネット２１に連結したときの様子を示す図である。
【図２４】図２３における検査室２０内の拡大図である。
【図２５】運搬装置５０をテーブルに変形させるときの説明図である。
【図２６】撮影スタッフ２がマグネット２１の操作ボタンを操作しているときの様子を示す図である。
【図２７】支持部材５４を移動させた後の様子を示す図である。
【図２８】支持部材５４を元の位置に戻したときの様子を示す図である。
【図２９】運搬装置５０が長椅子の状態に戻ったときの様子を示す図である。
【図３０】運搬装置５０がポイントＢまで移動したときの様子を示す図である。
【図３１】被検者１の脚部がマグネット２１側を向くように運搬装置５０を回転させたときの様子を示す図である。
【図３２】運搬装置５０が停止したときの様子を示す図である。
【図３３】支持部材５４をマグネット２１のボア２１ａに向けて移動させたときの様子を示す図である。
【発明を実施するための形態】
【０００９】
以下、発明を実施するための形態について説明するが、本発明は、以下の形態に限定されることはない。
【００１０】
図１は、本発明の一形態の運搬装置が使用される場所の説明図である。
図１には、被検者がＭＲ検査を待つための待合室１０と、ＭＲ検査が行われる検査室２０とが概略的に示されている。
【００１１】
待合室１０には、ＭＲ検査を受ける被検者１が入室している。被検者１は車椅子３に座っている。
【００１２】
検査室２０には、マグネット２１が設置されている。マグネット２１は、超伝導コイル、勾配コイル、ＲＦコイルなどが内蔵されている。被検者１は、マグネット２１のボア２１ａの中に入り、ＭＲ撮影を受ける。
【００１３】
被検者１は、待合室１０から検査室２０に移動する場合、運搬装置５０に乗って移動する（図２参照）。
【００１４】
図２は、運搬装置５０の外観図である。
運搬装置５０は、車輪部５１、架台５２、ベース５３、支持部材５４、固定具５５などを有している。
【００１５】
車輪部５１は、運搬装置５０を移動させるための複数の車輪を有している。車輪が回転することにより、運搬装置５０は移動することができる。車輪部５１には架台５２が取り付けられている。また、架台５２にはベース５３が取り付けられている。ベース５３の上面には支持部材５４が取り付けられている。
【００１６】
支持部材５４は、運搬装置５０で運搬される被検者１を支持するためのものである。支持部材５４は、座部５４ａ、背もたれ５４ｂ、および脚支持部５４ｃを有している。被検者１は、座部５４ａに着座し、背もたれ５４ｂに寄りかかり、足を脚支持部５４ｃに置く。したがって、被検者１は楽な姿勢で運搬装置５０に乗ることができる。また、支持部材５４の座部５４ａ、背もたれ５４ｂ、および脚支持部５４ｃには、エアークッション５６が組み込まれている。したがって、被検者１に快適な座り心地を提供することができる。更に、支持部材５４には、固定具５５が取り付けられている。固定具５５については後述する。
【００１７】
被検者１は待合室１０で車椅子３から運搬装置５０に乗り換えて、運搬装置５０に座ったままで検査室２０に移動する。運搬装置５０は、被検者１を待合室１０から検査室２０まで運搬するだけでなく、被検者１をマグネット２１のボア２１ａに搬入するときに使用されるテーブルを兼ねている。被検者１を検査室２０に移動させたら、運搬装置５０はテーブルに変形する。そして、テーブルに変形した運搬装置５０を用いて、被検者１をマグネット２１のボア２１ａに搬送する。したがって、被検者１は待合室１０で運搬装置５０に乗った後は、運搬装置５０から降りることなく、ＭＲ検査を受けることができる。以下に、待合室１０に入室した被検者１がＭＲ検査を受けるまでの具体的な流れについて、図１および図２とともに、図３〜図３３を参照しながら説明する。尚、この流れを説明するときに、運搬装置５０の構造についても詳細に説明する。
【００１８】
図３〜図９は、被検者１が待合室１０で車椅子３から運搬装置５０に乗り換えるときの手順の説明図である。
【００１９】
図３は、被検者１が車椅子３に座っているときの様子を示す図である。
車椅子３の近くには、運搬装置５０が用意されている。運搬装置５０は、被検者１が座りやすいように椅子の形状を有している。撮影スタッフ２は、車椅子３に座っている被検者１を運搬装置５０に座らせるために、被検者１を介助する。尚、図３を参照すると、運搬装置５０の肘掛け５７が座部５４ａの近くに位置しているので、このままでは、被検者１が座部５４ａに座るときの邪魔になる。そこで、撮影スタッフ２は、運搬装置５０の肘掛け５７を、背もたれ５４ｂ側に移動させる（図４参照）。
【００２０】
図４は、撮影スタッフ２が肘掛け５７を背もたれ５４ｂ側に移動させたときの様子を示す図である。
肘掛け５７は、軸ＡＸ１を中心として回転自在に架台５２に取り付けられている。したがって、撮影スタッフ２は、肘掛け５７が被検者１を運搬装置５０に座らせるときの邪魔になると思ったときは、肘掛け５７を背もたれ５４ｂ側に移動させることができる。肘掛け５７を背もたれ５４ｂ側に移動させた後、撮影スタッフ２は、車椅子３を運搬装置５０に近づける（図５参照）。
【００２１】
図５は、車椅子３を運搬装置５０に近づけたときの様子を示す図である。
車椅子３を運搬装置５０に近づけた後、撮影スタッフ２は、被検者１を介助しながら、被検者１を運搬装置５０に座らせる。図６に、被検者１を運搬装置５０に座らせたときの様子を示す。撮影スタッフ２は、被検者１を運搬装置５０に座らせた後、支持部材５４に組み込まれているエアークッション５６に空気を注入する（図７参照）。
【００２２】
図７は、エアークッション５６に空気を注入するときの説明図である。
図７の右側には運搬装置５０の背面図が示されている。運搬装置５０の背面には、表示部５８が設けられている。表示部５８には、エアークッション５６に注入されている空気量を表すインジケータ５８ａが示されている。撮影スタッフ２は、運搬装置５０の背面に取り付けられている操作部（図示せず）を操作して、エアークッション５６に空気を注入する（図８参照）。
【００２３】
図８は、エアークッション５６に空気を注入した後の様子を示す図である。
撮影スタッフ２は被検者１に座り心地を聞きながら、エアークッション５６に注入する空気量を調整する。エアークッション５６に空気が注入されると、表示部５８のインジケータ５８ａは、注入された空気量を表示する。したがって、撮影スタッフ２はエアークッション５６に注入された空気量を確認することができる。被検者１にとって最適な座り心地になるように、エアークッション５６に空気を注入した後、撮影スタッフ２は、肘掛け５７を元の位置に戻す。図９に、肘掛け５７を元の位置に戻した様子を示す。肘掛け５７を元の位置に戻した後、撮影スタッフ２は、被検者１に関する情報を確認する（図１０参照）。
【００２４】
図１０は、被検者１に関する情報を確認するときの説明図である。
被検者１は、手首に、被検者自身に関する情報（名前、年齢、性別など）が記録されたリストバンド（図示せず）をつけている。肘掛け５７には、リストバンドに記録された情報を読み取るためのリーダ（図示せず）が内蔵されている。撮影スタッフ２は、操作部を操作し、肘掛け５７のリーダから被験者の情報を読み取り、表示部５８に表示させる。撮影スタッフ２は、表示部５８に表示された被検者の情報を見ながら、運搬装置５０に乗った被検者１が、検査を受ける被検者で間違いないかを確認する。被検者１の確認ができたら、撮影スタッフ２は、被検者１の頭部を固定具５５で固定する（図１１参照）。
【００２５】
図１１は、被検者１の頭部を固定具５５で固定するときの説明図である。
図１１（ａ）は運搬装置５０の斜視図であり、図１１（ｂ）は運搬装置５０の正面図である。
【００２６】
固定具５５は、撮影中に被検者１の頭部が動かないように、被検者１の頭部を固定するためのものである。固定具５５は、支持部材の背もたれ５４ｂに対して矢印Ｐ方向にスライドできるように取り付けられている。撮影スタッフ２は、固定具５５の収容空間５５ａに被検者１の頭部が収まるように、固定具５５の位置を調整する。図１２に、固定具５５の位置を調整した後の様子を示す。
【００２７】
固定具５５には、イヤーパッド５５ｂが備えられている。イヤーパッド５５ｂはＱ方向に移動することができるように構成されている。撮影スタッフ２は、固定具５５の収容空間５５ａを被検者１の頭部の位置に調整した後、固定具５５のイヤーパッド５５ｂを被検者１の耳に当てる。図１３に、固定具５５のイヤーパッド５５ｂを被検者１の耳に当てたときの様子を示す。イヤーパッド５５ｂを被検者１の耳に当てることにより、被検者１の頭部を固定することができる。尚、イヤーパッド５５ｂには、スピーカが内蔵されている。被検者１をスキャンしている間、撮影スタッフの声は、このスピーカを通じて被検者１に伝えられる。
【００２８】
また、固定具５５には、被検者１と撮影スタッフが撮影中にコミュニケーションをとることができるようにするためのコミュニケーションツール５５ｃが備えられている。撮影スタッフ２は、被検者１の頭部を固定した後、コミュニケーションツール５５ｃの位置を調整する（図１４参照）。
【００２９】
図１４は、コミュニケーションツール５５ｃの位置を調整した後の様子を示す図である。
コミュニケーションツール５５ｃは、軸ＡＸ２を中心にして回転させることができるように構成されている。コミュニケーションツール５５ｃは、ＣＣＤカメラとマイク（図示せず）を有している。撮影スタッフ２は、被検者１の口の近くに、ＣＣＤカメラとマイクが設定されるように、コミュニケーションツール５５ｃの位置を調整する。ＣＣＤカメラは、撮影中に、撮影スタッフが被検者１の表情を確認できるようにするためのものである。マイクは、撮影中に、被検者１の声を撮影スタッフに伝えるためのものである。コミュニケーションツール５５ｃの位置を調整したら、被検者１に受信コイルを装着する（図１５参照）。
【００３０】
図１５は、受信コイルを装着した後の様子を示す図である。
受信コイル５９は、固定具５５に着脱自在に取り付けることができるように構成されている。したがって、被検者１の頭部を撮影する場合は、受信コイル５９を固定具５５に装着することにより、受信コイル５９を頭部の近くに設置することができる。尚、頭部とは別の部位をスキャンする場合は、受信コイル５９ではなく、別の部位をスキャンするための受信コイルを設置すればよい。例えば、被検者１の腹部をスキャンする場合は、腹部用の受信コイルを被検者１の腹部に装着すればよい。ここでは、受信コイル５９を装着したとする。受信コイル５９を装着した後、撮影スタッフ２は、被検者１の磁気チェックと、被検者１の体重の測定を行う（図１６参照）。
【００３１】
図１６は、被検者１の磁気チェックと、被検者１の体重の測定を行うときの説明図である。
運搬装置５０のベース５３には、磁気センサ（図示せず）が埋め込まれている。撮影スタッフ２は、操作部を操作して、磁気チェックを行うための命令を入力する。この命令が入力されると、表示部５８には、磁気チェックの結果が表示される。本形態では、被検者１の体を、右上半身、左上半身、右下半身、および左下半身の４つの部分に分けて、磁気チェックの結果を表示する。図１６では、右上半身、左上半身、および右下半身は、磁気チェックの結果が「ＯＫ」と表示されている。したがって、撮影スタッフ２は、被検者１の右上半身、左上半身、および右下半身には、磁性体は身に着けられていないことを確認できる。しかし、左下半身は、磁気チェックの結果が「ＮＧ」と表示されている。したがって、撮影スタッフ２は、被検者１の左下半身に磁性体が身に着けられていることがわかるので、被検者１が磁性体を取り外すことを忘れてしまっても、スキャン前に被検者１から磁性体を取り外すことができる。
【００３２】
また、運搬装置５０は、被検者１の体重を計測することができるように構成されている。撮影スタッフ２は、操作部を操作して、体重を計測するための命令を入力する。この命令が入力されると、表示部５８には、体重の計測結果が表示される。体重は、被検者１をスキャンするときのＲＦパルスのパワーなどを決定するために使用される。
【００３３】
磁気チェックおよび体重計測を終了したら、撮影スタッフ２は、被検者１を、待合室１０から検査室２０に移動する。
【００３４】
図１７は、被検者１を待合室１０から検査室２０に移動させるときの説明図である。
撮影スタッフ２は、運搬装置５０を押し、検査室２０に入る。図１８に、運搬装置５０を検査室２０の入口まで移動させたときの様子を示す。検査室２０の床には、検査室２０の入口とマグネット２１との間に延在するトレースライン２２および２３が設けられている。また、運搬装置５０には、トレースライン２２および２３を赤外線を用いて読み取るＩＲラインリーダ（図示せず）が搭載されている。撮影スタッフ２は運搬装置５０の操作部を操作し、運搬装置５０を自動ドライブモードに設定する。自動ドライブモードに設定されると、運搬装置５０は、先ず、トレースライン２２上のポイントＡからポイントＢに向かって自動で移動する（図１９および図２０参照）。
【００３５】
図１９は運搬装置５０がポイントＢまで移動したときの様子を示す図、図２０は図１９における検査室２０内の拡大図である。
【００３６】
図１９および図２０に示すように、撮影スタッフ２が運搬装置５０を押さなくても、運搬装置５０は自動的にポイントＢに到達する。運搬装置５０は、ポイントＢに到達した後、被検者１の頭部がマグネット２１を向くように回転する（図２１および図２２参照）。
【００３７】
図２１は運搬装置５０が回転した後の様子を示す図、図２２は図２１における検査室２０内の拡大図である。
【００３８】
運搬装置５０は、軸ＡＸ３を中心として回転することができるように構成されている。したがって、運搬装置５０を軸ＡＷ３を中心として９０度回転させることにより、被検者１の頭部をマグネット２１側に向けることができる。運搬装置５０は９０度回転した後、トレースライン２３に沿って移動し、マグネット２１に連結する（図２３および図２４参照）。
【００３９】
図２３は運搬装置５０をマグネット２１に連結したときの様子を示す図、図２４は図２３における検査室２０内の拡大図である。
【００４０】
マグネット２１は、運搬装置５０を連結するための連結部２４を有している。この連結部２４は、運搬装置５０の車輪部５１と着脱自在に連結することができるように構成されている。運搬装置５０はポイントＢの位置からトレースライン２３に沿ってバックし、マグネット２１に近づく。そして、車輪部５１がマグネット２１の連結部２４に連結したら運搬装置５０は停止する。運搬装置５０がマグネット２１に連結したら、運搬装置５０をテーブルに変形させる（図２５参照）。
【００４１】
図２５は、運搬装置５０をテーブルに変形させるときの説明図である。
運搬装置５０の架台５２は上下方向に伸縮自在に構成されている。また、ベース５３は、架台５２が伸びると、平板形状に変形するように構成されている。ベース５３が変形すると、支持部材５４もベース５３と同じ形状に変形する。したがって、運搬装置５０をテーブルに変形させることができる。
【００４２】
撮影スタッフ２は、運搬装置５０をテーブルに変形させるために、マグネット２１の操作ボタンを操作し、運搬装置５０をテーブルに変形させるための命令を入力する。図２６に、撮影スタッフ２がマグネット２１の操作ボタンを操作しているときの様子を示す。この操作によって、運搬装置５０の架台５２が伸長し、ベース５３と支持部材５４が平板形状に変形するので、運搬装置５０をテーブルに変形させることができる。したがって、被検者１は、運搬装置５０に座ったままで、仰向けになることができる。運搬装置５０をテーブルに変形させた後、支持部材５４をマグネット２１のボア２１ａに向けて移動させる（図２７参照）。
【００４３】
図２７は、支持部材５４を移動させた後の様子を示す図である。
支持部材５４は、ベース５３に対してスライドさせることができるように構成されている。したがって、支持部材５４をボア２１ａに向けて移動させることにより、被検者１の頭部をボア２１ａの内側に移動させることができる。支持部材５４を移動させた後、頭部を撮影する。
【００４４】
撮影が終了したら、被検者１をボア２１ａから搬出するために、支持部材５４を元の位置に戻す（図２８参照）。
【００４５】
図２８は、支持部材５４を元の位置に戻したときの様子を示す図である。
支持部材５４が元の位置に戻ることによって、被検者１はボア２１ａの外に出ることができる。支持部材５４が元の位置に戻ると、運搬装置５０はテーブルから長椅子に戻る。図２９に、運搬装置５０が長椅子の状態に戻った様子が示されている。運搬装置５０が長椅子の形状に戻ったら、運搬装置５０はトレースライン２３、２２に沿って移動し、ポイントＡまで自動で移動する。運搬装置５０がポイントＡまで戻ったら、撮影スタッフ２は、運搬装置５０を押して待合室１０に戻る。
上記のようにして、被検者１の撮影が行われる。
【００４６】
本形態では、被検者１を運搬装置５０に着座させた後で、運搬装置５０が磁気共鳴装置用テーブルに変形することにより、被検者１を仰向けの状態で支持することができる。したがって、撮影スタッフは、被検者１をテーブルに寝かせるための介助をする必要がなくなるので、撮影スタッフに掛かる負担を軽減することができる。また、被検者１は、運搬装置５０に着座した後は、運搬装置５０が磁気共鳴装置用テーブルに変形するだけで、仰向けに寝ることができるので、被検者１に掛かる負担も軽減することができる。
【００４７】
本形態では、被検者１の頭部を撮影する場合について説明されている。しかし、本発明の運搬装置５０は、頭部とは別の部位を撮影する場合にも適用することができる。以下に、頭部とは別の部位の例として下肢を取り上げ、下肢を撮影するときの運搬装置５０の動きについて説明する。
【００４８】
図３０〜図３３は、被検者１の下肢を撮影するときの運搬装置５０の動きの説明図である。
被検者１の下肢を撮影する場合、固定具５５に受信コイル５９を取り付けることは不要である。撮影スタッフ２は、手押しで運搬装置５０を検査室２０の入口まで移動させ、運搬装置５０を自動ドライブモードに設定する。自動ドライブモードに設定されると、運搬装置５０は、トレースライン２２に沿ってポイントＢまで移動する（図３０参照）。ポイントＢまで移動した後、運搬装置５０は、被検者１の脚部がマグネット２１側を向くように回転する（図３１参照）。運搬装置５０は、トレースライン２３に沿ってマグネット２１に向かって前進し、車輪部５１がマグネット２１の連結部２４に連結したら、運搬装置５０は停止する（図３２参照）。次に、運搬装置５０をテーブルに変形させ、被検者１に下肢用の受信コイルを取り付け、支持部材５４をマグネット２１のボア２１ａに向けて移動させ（図３３参照）、撮影が行われる。尚、受信コイルは、待合室１０で取り付けてもよい。
【００４９】
このように、本形態の運搬装置５０は、被検者１の撮影部位などに応じて、被検者１を頭部からボア２１ａに搬送することもできるし、被検者１を脚部からボア２１ａに搬送することもできる。
【００５０】
本形態では、運搬装置５０は固定具５５を備えているが、固定具５５は必ずしも備える必要はない。更に、固定具５５を、支持部材５４に対して着脱自在に取り付けることができるように構成してもよい。
【００５１】
本形態では、検査室２０の床にはトレースライン２２および２３が設けられている。しかし、トレースライン２２および２３を設けずに、撮影スタッフ２が手動で運搬装置５０を操作し、マグネット２１に連結させてもよい。
【００５２】
本形態では、運搬装置が磁気共鳴装置用テーブルに変形する例について説明されている。しかし、本発明の運搬装置は、磁気共鳴装置用テーブルに変形する場合に限定されることはなく、テーブルが必要となるその他の医用装置（例えば、ＣＴ装置）のテーブルに変形するように構成することができる。
【符号の説明】
【００５３】
１  被験者
２  撮影スタッフ
３  車椅子
１０  待合室
２０  検査室
２１  マグネット
２１ａ  ボア
５０  運搬装置
５１  車輪部
５２  架台
５３  ベース
５４  支持部材
５４ａ  座部
５４ｂ  背もたれ
５４ｃ  脚支持部
５５  固定具
【図１】
2013208207.tif 000003
【図２】
2013208207.tif 000004
【図３】
2013208207.tif 000005
【図４】
2013208207.tif 000006
【図５】
2013208207.tif 000007
【図６】
2013208207.tif 000008
【図７】
2013208207.tif 000009
【図８】
2013208207.tif 000010
【図９】
2013208207.tif 000011
【図１０】
2013208207.tif 000012
【図１１】
2013208207.tif 000013
【図１２】
2013208207.tif 000014
【図１３】
2013208207.tif 000015
【図１４】
2013208207.tif 000016
【図１５】
2013208207.tif 000017
【図１６】
2013208207.tif 000018
【図１７】
2013208207.tif 000019
【図１８】
2013208207.tif 000020
【図１９】
2013208207.tif 000021
【図２０】
2013208207.tif 000022
【図２１】
2013208207.tif 000023
【図２２】
2013208207.tif 000024
【図２３】
2013208207.tif 000025
【図２４】
2013208207.tif 000026
【図２５】
2013208207.tif 000027
【図２６】
2013208207.tif 000028
【図２７】
2013208207.tif 000029
【図２８】
2013208207.tif 000030
【図２９】
2013208207.tif 000031
【図３０】
2013208207.tif 000032
【図３１】
2013208207.tif 000033
【図３２】
2013208207.tif 000034
【図３３】
2013208207.tif 000035